(57)【要約】【課題】有用な撮影地情報を提供する。【解決手段】画像データを撮影地情報と関連付けて記憶する画像記憶部２６と、前記画像データに基づく画像に対して行われた評価の評価値を取得する取得部２２と、前記画像記憶部に記憶されている前記画像データに前記取得部により取得した前記評価値を関連付けて記憶させる記憶制御部２０と、前記取得部により取得した前記評価値が所定の閾値を超えた場合、前記撮影地情報を、前記評価値が前記閾値を超えない画像データの撮影地情報と区別して登録する登録部２８とを備える。【選択図】図２
2014232419.tif 000002
【特許請求の範囲】
【請求項１】
画像データを撮影地情報と関連付けて記憶する画像記憶部と、
前記画像データに基づく画像に対して行われた評価の評価値を取得する取得部と、
前記画像記憶部に記憶されている前記画像データに前記取得部により取得した前記評価値を関連付けて記憶させる記憶制御部と、
前記取得部により取得した前記評価値が所定の閾値を超えた場合、前記撮影地情報を、前記評価値が前記閾値を超えない画像データの撮影地情報と区別して登録する登録部と
を備えることを特徴とする画像評価サーバ。
【請求項２】
前記登録部に前記画像データの撮影地情報が登録された場合、前記画像評価サーバと通信可能な端末に対して前記登録された撮影地情報に関する報知を行う報知部を備えることを特徴とする請求項１記載の画像評価サーバ。
【請求項３】
前記端末から前記端末の前記位置情報を受信する受信部と、
前記受信部により受信した前記位置情報と前記登録部に登録された撮影地情報との間の距離を算出する算出部と、
前記算出部により算出された距離が所定の距離以内になったときに、前記端末に対して、前記登録された撮影地情報に関する通知を行う通知部と
を備えることを特徴とする請求項２記載の画像評価サーバ。
【請求項４】
画像データに基づく画像に対する評価を管理する画像評価サーバと、前記画像評価サーバとネットワークを介して接続されている第１通信端末とを備える画像評価システムにおいて、
前記第１通信端末は、
撮影地情報が関連付けられた前記画像データを前記画像評価サーバに対して送信する第１送信部を備え、
前記画像評価サーバは、
前記第１通信端末からネットワークを介して、前記撮影地情報が関連付けられた前記画像データを受信する第１受信部と、
前記第１受信部により受信した前記画像データを記憶する画像記憶部と、
前記ネットワークに接続された他の通信端末から前記画像データに基づく画像に対して行われた評価の評価値を取得する取得部と、
前記画像記憶部に記憶されている前記画像データに前記取得部により取得した前記評価値を関連付けて記憶させる記憶制御部と、
前記取得部により取得した前記評価値が所定の閾値を超えた場合、前記撮影地情報を、前記評価値が前記閾値を超えない画像データの撮影地情報と区別して登録する登録部と
を備えることを特徴とする画像評価システム。
【請求項５】
画像データに基づく画像に対する評価を管理する画像評価サーバと、前記画像評価サーバとネットワークを介して接続されている第２通信端末とを備える画像評価システムにおいて、
前記第２通信端末は、
前記画像データに基づく画像に対する評価の評価値を前記画像評価サーバに対して送信する第２送信部を備え、
前記画像評価サーバは、
前記画像データを撮影地情報と関連付けて記憶する画像記憶部と、
第２通信端末からネットワークを介して、前記画像データに対する評価の評価値を受信する第２受信部と、
前記画像記憶部に記憶されている前記画像データに前記第２受信部により受信した前記評価値を関連付けて記憶させる記憶制御部と、
前記第２受信部により受信した前記評価値が所定の閾値を超えた場合、前記撮影地情報を、前記評価値が前記閾値を超えない画像データの撮影地情報と区別して登録する登録部と
を備えることを特徴とする画像評価システム。
【請求項６】
前記画像評価サーバは、
前記登録部に前記画像データの撮影地情報が登録された場合、前記画像評価サーバと通信可能な端末に対して前記登録された撮影地情報に関する報知を行う報知部を備えることを特徴とする請求項４または５記載の画像評価システム。
【請求項７】
前記画像評価サーバは、
前記画像評価サーバと通信可能な端末の位置情報を取得する位置情報受信部と、
前記位置情報受信部により受信した前記位置情報が前記登録部に登録された撮影地情報を起点とした一定範囲内に存在することを検出する検出部と、
前記検出部による検出結果に基づいて選択された前記端末に対して、前記登録された撮影地情報に関する通知を行う通知部と
を備えることを特徴とする請求項６記載の画像評価システム。
【発明の詳細な説明】
【技術分野】
【０００１】
本発明は、画像評価サーバ、及び画像評価システムに関するものである。
【背景技術】
【０００２】
従来、WEBサイトにアップロードされた画像の画像データを所定のキーワードと関連付けてサーバに登録するシステムが知られている（例えば、非特許文献１参照）。このWEBサイトによれば、例えば、「山」、「春」等のキーワードを入力することにより、「山」、「春」に関連する画像を検索することができる。
【先行技術文献】
【非特許文献】
【０００３】
【非特許文献１】http://www.nagano-tabi.net/modules/suteki/（長野県公式観光ウェブサイト  さわやか信州旅.net）
【発明の概要】
【発明が解決しようとする課題】
【０００４】
しかしながら、このWEBサイトにおいては、自由に画像データをアップロードすることができるため登録情報が雑多になりがちである。このためユーザは、撮影名所等の有用な情報に絞り込まれた検索結果を得ることができないという問題がある。
【０００５】
本発明の目的は、有用な撮影地情報をユーザに提供可能な画像評価サーバ、画像評価システムを提供することである。
【課題を解決するための手段】
【０００６】
本発明の画像評価サーバは、画像データを撮影地情報と関連付けて記憶する画像記憶部と、前記画像データに基づく画像に対して行われた評価の評価値を取得する取得部と、前記画像記憶部に記憶されている前記画像データに前記取得部により取得した前記評価値を関連付けて記憶させる記憶制御部と、前記取得部により取得した前記評価値が所定の閾値を超えた場合、前記撮影地情報を、前記評価値が前記閾値を超えない画像データの撮影地情報と区別して登録する登録部とを備えることを特徴とする。
【０００７】
また、本発明の画像評価システムは、画像データに基づく画像に対する評価を管理する画像評価サーバと、前記画像評価サーバとネットワークを介して接続されている第１通信端末とを備える画像評価システムにおいて、前記第１通信端末は、撮影地情報が関連付けられた前記画像データを前記画像評価サーバに対して送信する第１送信部を備え、前記画像評価サーバは、前記第１通信端末からネットワークを介して、前記撮影地情報が関連付けられた前記画像データを受信する第１受信部と、前記第１受信部により受信した前記画像データを記憶する画像記憶部と、前記ネットワークに接続された他の通信端末から前記画像データに基づく画像に対して行われた評価の評価値を取得する取得部と、前記画像記憶部に記憶されている前記画像データに前記取得部により取得した前記評価値を関連付けて記憶させる記憶制御部と、前記取得部により取得した前記評価値が所定の閾値を超えた場合、前記撮影地情報を、前記評価値が前記閾値を超えない画像データの撮影地情報と区別して登録する登録部とを備えることを特徴とする。
【０００８】
また、本発明の画像評価システムは、画像データに基づく画像に対する評価を管理する画像評価サーバと、前記画像評価サーバとネットワークを介して接続されている第２通信端末とを備える画像評価システムにおいて、前記第２通信端末は、前記画像データに基づく画像に対する評価の評価値を前記画像評価サーバに対して送信する第２送信部を備え、前記画像評価サーバは、前記画像データを撮影地情報と関連付けて記憶する画像記憶部と、第２通信端末からネットワークを介して、前記画像データに対する評価の評価値を受信する第２受信部と、前記画像記憶部に記憶されている前記画像データに前記第２受信部により受信した前記評価値を関連付けて記憶させる記憶制御部と、前記第２受信部により受信した前記評価値が所定の閾値を超えた場合、前記撮影地情報を、前記評価値が前記閾値を超えない画像データの撮影地情報と区別して登録する登録部とを備えることを特徴とする。
【発明の効果】
【０００９】
本発明によれば、有用な撮影地情報を提供することができる。
【図面の簡単な説明】
【００１０】
【図１】実施の形態に係る画像評価システムの構成を示すブロック図である。
【図２】実施の形態に係る画像評価サーバの構成を示すブロック図である。
【図３】実施の形態に係る端末の構成を示すブロック図である。
【図４】実施の形態に係る画像評価サーバにおける画像評価処理を示すフローチャートである。
【図５】実施の形態に係る端末に対する撮影名所の通知処理を示すフローチャートである。
【図６】実施の形態に係る画像評価システムを用いてナビゲーションを行う場合における、撮影名所と撮像装置の位置関係を示す図である。
【発明を実施するための形態】
【００１１】
以下、図面を参照して本発明の実施の形態に係る画像評価システムについて説明する。図１は、実施の形態に係る画像評価システム２の構成を示すブロック図である。画像評価システム２は、画像の評価処理を行う画像評価サーバ４を備え、画像評価サーバ４はネットワーク６を介して種々の端末と通信可能となっている。
【００１２】
ここで、上記端末８には、デジタルカメラ、スマートフォン、タブレット端末、携帯電話のように画像を撮影することが可能な撮像装置のほか、画像データを保存可能なパソコンなどが含まれている。いずれの端末も、画像評価サーバ４に対して通信接続可能な通信装置を内蔵、または外部機器として装着している。
【００１３】
図２は、実施の形態に係る画像評価サーバ４の構成を示すブロック図である。画像評価サーバ４は、画像を位置情報に対応付けて表示するとともに、通信可能な端末からの画像評価を受け付ける画像評価サイト（図示せず）を提供するサーバであり、画像評価サーバ４の各部を統括的に制御するＣＰＵ２０を備えている。ＣＰＵ２０には、ネットワーク６を介して端末８との通信を行う通信部２２、アドレス等の個人情報を予め記憶する個人情報記憶部２４、ネットワーク６を介して端末８からアップロードされた画像の画像データを記憶する画像記憶部２６、所定の評価がなされた画像の撮影地点の位置情報を記憶する撮影名所記憶部２８、及び地図データを記憶する地図データ記憶部２９が接続されている。ここで、個人情報記憶部２４に記憶されている個人情報は、画像評価サーバ４と通信可能な端末８のユーザ等によって、予め登録されたものである。
【００１４】
図３は、実施の形態に係る画像評価サーバ４と通信可能な端末８の構成を示すブロック図である。この端末８は、ＣＰＵ３０を備え、ＣＰＵ３０には、ネットワーク６を介して画像評価サーバ４との間で通信を行う通信部３２、ＧＰＳ衛星から受信した信号に基づいて現在位置を測位するＧＰＳ３４、ＬＣＤ表示部３８、被写体光を撮像して撮像信号を生成する撮像素子４１、アドレス等の個人情報を予め記憶する個人情報記憶部４６、及び画像データを記憶するメモリカード５２を装着するメモリカードスロット５３が接続されている。尚、端末の種類によっては撮像素子４１やＧＰＳ３４を備えない場合もあるが、これらの機能を代替する構成を備えていても良い。つまり、撮像素子４１やＧＰＳ３４を備えていないパソコンなどは、代わりに画像データを記憶する記憶デバイスを備えていればよく、通信基地局を介して概略的な位置情報が特定できるだけでも良い。
【００１５】
また、いずれの端末も少なくとも通信部３２を実質的に備えているが、他の機能で装備していないものについては、画像評価サーバ４との間のサービスが制限されるに過ぎない。
【００１６】
次に、実施の形態に係る画像評価サーバ４によって提供される画像評価サイトに画像をアップロードする処理について説明する。画像をアップロードしようとする者（登録者／アップローダ）は、端末８（デジタルカメラやスマートフォン、タブレット端末、携帯電話、パソコン）から画像評価サイトへアクセスする。次に、登録者により、端末に装着されたメモリカード５２に記憶されている画像データの中から一枚または複数枚の画像データが選択され、画像評価サイトにアップロードされる。ここで、メモリカード５２に記憶されている画像データにはタグ情報として、ファイル名、撮影地点の位置情報、及び撮影時の撮影条件等が付加されている。また、アップロードの際には、画像データに端末８のアドレス（ＩＰアドレスやメールアドレス）が関連付けられる。
【００１７】
次に、画像評価サーバ４のＣＰＵ２０は、画像評価サイトにアップロードされた画像を公開して閲覧可能な状態にすると共に、画像データを画像記憶部２６に記憶する。
【００１８】
次に、図４に示すフローチャートを参照して、実施の形態に係る画像評価システム２における画像評価処理について説明する。なおフローチャートは、画像評価サーバ４のＣＰＵ２０を主体として記載されている。
【００１９】
画像を評価しようとするもの（評価者）が、端末８（デジタルカメラ、スマートフォン、タブレット端末、携帯電話、パソコン）のブラウザから画像評価サイトへアクセスすると、端末８のＬＣＤ表示部３８に画像評価サイトの画面が表示される。
【００２０】
次に、評価者により、画像評価サイトに掲載されている画像の評価が入力される。例えば、評価者は、画像評価サイトに掲載されている画像の中から良いと思う画像を選択し、当該画像に対する評価点数を入力する。尚、この評価は「使用者」の主観に基づくものであり、画像そのものが写真として良い場合であっても、画像を元に撮影地点が目新しい、面白いなどと感じる場合であっても構わない。
【００２１】
評価方法としては、例えば画像の評価を３段階で行い、画像が「たいへん素晴らしい」場合には３点の評価点数を入力し、「素晴らしい」場合には２点の評価点数を入力し、「良い」場合には１点の評価点数を入力する。なお、画像の選択がなされた場合、ＣＰＵ２０は、地図データ記憶部２９から地図データを読み出し、当該画像の撮影地点を含む所定範囲の地図を画像と併せて表示する。ここで、撮影地点の地図上の位置は、例えばピン等の画像等で表示される。
【００２２】
画像に対する評価点数が入力されると、画像評価サーバ４のＣＰＵ２０は、画像記憶部２６に記憶されている画像の画像データに評価点数を付加する（ステップＳ２１）。ここで、同じ画像データに既に評価点数が付加されている場合、既に付加されている評価点数に新たな評価点数が加算される。
【００２３】
例えば、画像に対して既にある評価者による評価が入力され、画像データに評価点数が２点付加されていたとする。ここで、更に同じ画像に対して、別の評価者が３点の評価点数を入力した場合、ＣＰＵ２０は、既に画像データに付加されている２点に３点を加算し、評価点数を５点に変更する。このようにして、複数の評価者による評価点数を画像データに随時加算するユーザ参加型の評価を行うことにより、画像の評価がサーバ管理者などの特定人の意図によって左右されることなく、有用な撮影地情報に絞り込むことができる。また、サーバ管理者が画像を選別する必要がないため、サーバ管理者の負担を軽減することができる。
【００２４】
次に、ＣＰＵ２０は、画像データに付加されている評価点数の合計が所定の点数を超えたか否かを判定する（ステップＳ２２）。評価点数の合計が所定の点数を超えていない場合（ステップＳ２２：Ｎｏ）、ステップＳ２１に戻り、継続して画像に対する評価を受付ける。一方、評価点数の合計が所定の点数を超えた場合（ステップＳ２２：Ｙｅｓ）、ＣＰＵ２０は、当該画像の撮影地点を、評価点数の合計が所定の点数を超えていない他の画像の撮影地点と区別し、「撮影名所」として登録する（ステップＳ２３）。即ち、当該画像の画像データに付加されている位置情報を撮影名所情報として撮影名所記憶部２８に記憶する。これにより、例えば、一定の評価が得られた画像のみをその撮影地点と関連付けてWEBページに表示させることが可能となる。
【００２５】
次に、ＣＰＵ２０は、撮影名所記憶部２８に記憶する際に、この画像データに関連付けられているアドレス（当該画像をアップロードした端末８のアドレス）に、画像の撮影地点が撮影名所として登録されたことを通知する（ステップＳ２４）。例えば、画像をアップロードした端末８に設定されたメールアドレスに宛てて、「あなたの掲載した写真の撮影地点が撮影名所として登録されました」等のメッセージに画像データを添付した電子メールを送信する。
【００２６】
次に、ＣＰＵ２０は、個人情報記憶部２４に登録されているアドレスに宛てて、新規に登録された撮影名所情報を通知する（ステップＳ２５）。具体的には、図１に示す、デジタルカメラ、スマートフォン、タブレット端末、携帯電話、パソコンそれぞれのアドレスに宛てて、「新規に登録されたお薦めの撮影スポットをお知らせします。」等のメッセージに撮影名所情報を添付した電子メールを送信する。なお、ステップＳ２４で通知を行った端末８のアドレスに対しては、ステップＳ２５で撮影名所情報を通知しなくてもよい。
【００２７】
次に、図５及び図６を参照して、実施の形態に係る画像評価システム２における撮影名所の通知処理について説明する。図４で説明した撮影名所の通知は、新規に撮影名所として登録された時点で通知するものであるのに対し、図５の例は、新規登録された撮影名所を、ユーザがその地点から一定範囲に存在した場合に通知する点で異なる。
【００２８】
ここで図５は、本通知処理のフローチャートを示す図である。また、図６は、本通知を行う場合における端末８と撮影名所の位置関係を示す図である。ここでは、図６に示す撮影地点ａ、撮影地点ｂ、及び撮影地点ｃがそれぞれ撮影名所として撮影名所記憶部２８に登録されている場合において、端末８（デジタルカメラ）に対して撮影名所が登録されたことを通知する場合を例に説明する。
【００２９】
まず、撮影名所の情報の通知を希望するユーザは、所有する端末８からその位置情報を画像評価サーバ４に送信可能な状態に設定しておく。次に、端末８のＣＰＵ３０は、ＧＰＳ３４により現在位置の測位を行うことにより位置情報の取得を開始し、取得した位置情報をアドレスと共にネットワーク６を介して画像評価サーバ４に送信する。ここで、位置情報の取得、及び送信は一定時間間隔で行われる。
【００３０】
画像評価サーバ４のＣＰＵ２０は、ネットワーク６を介して位置情報、及びアドレスを受信すると（ステップＳ３１）、撮影名所記憶部２８から撮影名所情報を読み出し、撮影名所の位置と、受信した位置情報の位置との間の距離を算出する（ステップＳ３２）。例えば、受信した位置情報が場所Ｘの位置情報であった場合、ＣＰＵ２０は、場所Ｘと撮影地点ａ、撮影地点ｂ、撮影地点ｃとの間の距離をそれぞれ算出する。
【００３１】
次に、ＣＰＵ２０は、ステップＳ３２で算出した距離の中に所定の距離以下になったものがあるか否かの判定を行う（ステップＳ３３）。例えば、場所Ｘと撮影地点ａ、場所Ｘと撮影地点ｂ、場所Ｘと撮影地点ｃとの間の距離の中で５ｋｍ以内の距離と算定されたものがあるか否かを判定する。ここで、所定の距離については、通知を受けたいユーザが任意に設定できるようにしても良い。
【００３２】
ステップＳ３２で算出した距離の中に所定の距離以下になったものがない場合（ステップＳ３３：Ｎｏ）、即ち、端末８が何れの撮影名所の位置にも近づいていない場合、ステップＳ３１の処理に戻る。一方、ステップＳ３２で算出した距離の中に所定の距離以下になったものがある場合（ステップＳ３３：Ｙｅｓ）、即ち、端末８が何れかの撮影名所の位置に近づいた場合、画像評価サーバ４のＣＰＵ２０は、端末８のユーザの付近に撮影名所として登録された撮影地点が存在すること通知する（ステップＳ３４）。例えば、図６に示すように、端末８が撮影名所の一つである撮影地点ｃに近づいた場合、撮影地点ｃの位置情報を端末８のアドレスに対して送信する。
【００３３】
次に、端末８は、画像評価サーバ４からの通知を受信すると、「近くに『新たな撮影名所』があります」といったメッセージを生成し、ＬＣＤ表示部３８に表示させる。
【００３４】
この実施の形態に係る画像評価システム２によれば、一定の評価が得られた画像の撮影地点に絞ることができるため、有用な撮影地情報を画像評価システム２のユーザに提供することができる。また、端末８のユーザが撮影名所から所定の距離に近づいた時にその旨を報知するため、極端に遠方の撮影地情報が通知されるなどといった情報過多を防ぐことができ、さらに情報の有用性を増すことができる。また、撮影名所の登録が行われた場合、画像評価サイトに画像をアップロードした登録者にその旨を通知することにより、画像評価サイトへの画像の投稿意欲を増進することができる。
【００３５】
なお、上述の実施の形態においては、一つの画像に対して評価を行う場合を例に説明しているが、近接する撮影地点で撮影された複数の画像の画像グループに対して評価を行うようにしてもよい。この場合、端末８が画像グループに含まれる何れかの画像の撮影地点に近づいた場合、画像評価サーバ４のＣＰＵ２０は、端末８が撮影名所の位置に近づいたことを端末８のユーザに通知する。これにより、撮影名所が狭い範囲内に集中した場合に、撮影名所に近づくたびに通知が行われることを防止することができる。
【００３６】
また、上述の実施の形態において、他の評価方法を用いて画像評価を行ってもよい。例えば、画像評価を行った評価者の人数を随時加算し、評価者の人数が所定の人数を超えた場合にその画像の撮影地点を撮影名所として登録するようにしてもよい。
【符号の説明】
【００３７】
２…画像評価システム、４…画像評価サーバ、６…ネットワーク、８…端末、２０…ＣＰＵ、２２…通信部、２４…個人情報記憶部、２６…画像記憶部、２８…撮影名所記憶部、３０…ＣＰＵ、３２…通信部、３４…ＧＰＳ、３８…ＬＣＤ表示部
【図１】
2014232419.tif 000003
【図２】
2014232419.tif 000004
【図３】
2014232419.tif 000005
【図４】
2014232419.tif 000006
【図５】
2014232419.tif 000007
【図６】
2014232419.tif 000008